(57)【要約】【課題】情報の漏洩及び二次流出、更には情報の大量流出を防止可能とした印刷システムを提供する。【解決手段】印刷システムは、プリンタ１５００、２０００、ホストコンピュータ３０００、追跡情報管理サーバ１０００を備える。ホストコンピュータ３０００のプリンタドライバ２０３とジョブ追跡機能部４００は、受信した描画命令に応じた追跡用データの生成、収集を行う。ジョブ追跡機能部４００は、検索条件に従い追跡用データを検索し、検索結果を作成し、検索結果に応じプリンタの各種機能の禁止条件が追跡用データに含まれているか否かを判断する。禁止条件がジョブ追跡用データに含まれている場合、追跡用データ及び描画命令に機能制限情報（タグ）を埋め込み、追跡用データをジョブ追跡管理部５００を介し追跡情報管理サーバ１０００へ転送し、印刷データをプリンタへ転送する。【選択図】図７
2007148933.tif 000002
【特許請求の範囲】
【請求項１】
印刷装置を利用可能とする印刷システムであって、
前記印刷装置を利用して実行したジョブの内容に基づき追跡用情報を生成し、前記追跡用情報に前記印刷装置の機能を制限する機能制限情報を埋め込む情報処理手段と、
前記情報処理手段により生成された前記追跡用情報を登録する登録手段と、
前記印刷装置を利用する命令を受信した場合に前記登録手段から該当する追跡用情報を検索し、前記追跡用情報に埋め込まれた前記機能制限情報に応じて前記印刷装置の機能を制限する機能制限手段と、
を備えることを特徴とする印刷システム。
【請求項２】
前記追跡用情報は、ジョブに関する属性情報、印刷が行われている環境に関する環境情報、テキストから抽出された文字列情報を含む群から選択されることを特徴とする請求項１記載の印刷システム。
【請求項３】
前記印刷装置の機能は、印刷、複写、データ転送を含む群から選択されることを特徴とする請求項１記載の印刷システム。
【請求項４】
前記追跡用情報を検索する際の検索条件を設定する検索条件設定手段を更に備え、
前記機能制限手段は、前記検索条件設定手段で設定された検索条件に基づき前記登録手段から前記追跡用情報を検索し、検索結果を作成することを特徴とする請求項１記載の印刷システム。
【請求項５】
前記検索条件設定手段で設定される検索条件は、複写禁止条件、データ転写禁止条件を含む群から選択されることを特徴とする請求項４記載の印刷システム。
【請求項６】
各種の前記機能制限情報を参照可能とする機能制限情報参照手段を更に備え、
前記機能制限手段は、前記検索結果に基づき前記機能制限情報参照手段から必要な機能制限情報を参照し、前記機能制限情報に対応する命令を、前記受信した前記印刷装置を利用する命令に追加することを特徴とする請求項１又は４記載の印刷システム。
【請求項７】
印刷装置を利用して実行したジョブの内容に基づき追跡用情報を生成し、前記追跡用情報に前記印刷装置の機能を制限する機能制限情報を埋め込む情報処理手段と、
前記印刷装置を利用する命令を受信した場合に、前記追跡用情報を登録する登録手段から該当する追跡用情報を検索し、前記追跡用情報に埋め込まれた前記機能制限情報に応じて前記印刷装置の機能を制限する機能制限手段と、
を備えることを特徴とする情報処理装置。
【請求項８】
情報処理装置の制御方法であって、
印刷装置を利用して実行したジョブの内容に基づき追跡用情報を生成し、前記追跡用情報に前記印刷装置の機能を制限する機能制限情報を埋め込む情報処理ステップと、
前記印刷装置を利用する命令を受信した場合に、前記追跡用情報を登録する登録手段から該当する追跡用情報を検索し、前記追跡用情報に埋め込まれた前記機能制限情報に応じて前記印刷装置の機能を制限する機能制限ステップと、
を備えることを特徴とする制御方法。
【請求項９】
情報処理装置の制御方法をコンピュータに実行させるプログラムであって、
印刷装置を利用して実行したジョブの内容に基づき追跡用情報を生成し、前記追跡用情報に前記印刷装置の機能を制限する機能制限情報を埋め込む情報処理モジュールと、
前記印刷装置を利用する命令を受信した場合に、前記追跡用情報を登録する登録手段から該当する追跡用情報を検索し、前記追跡用情報に埋め込まれた前記機能制限情報に応じて前記印刷装置の機能を制限する機能制限モジュールと、
を備えることを特徴とするプログラム。
【発明の詳細な説明】
【技術分野】
【０００１】
本発明は、印刷装置により印刷された内容を蓄積し追跡を可能とすることで情報の漏洩及び二次流出を防止する場合に好適な印刷システム、情報処理装置、制御方法、及びプログラムに関する。
【背景技術】
【０００２】
近年、企業の顧客情報等の機密情報の漏洩事件が頻発している。一度、情報漏洩事件が公になると、情報漏洩を起こした企業にとっては信用を失うことに加え、損害賠償や顧客への対応に莫大な出費を強いられる事例が多発している。しかも、従来の情報漏洩事件とは比べものにならないほど大規模な情報漏洩事件が発生しており、より適切な情報漏洩対策が情報を管理する側に求められている。
【０００３】
情報漏洩が頻発している背景には、情報のデジタル化、ネットワーク化、モバイル化が進展したことに伴い、一度に大量の情報にアクセスすることが可能になると共に、情報の可搬性が飛躍的に向上したことなどが挙げられる。今後もこれらの傾向は加速していくことは必至である。
【０００４】
従来、情報漏洩対策として広く用いられている手法としては、機密情報または機密情報を格納するストレージサーバなどにアクセス権を設定することで、機密情報にアクセスできる人を限定する方法がある。しかしながら、近年の情報漏洩事件は機密情報へのアクセスを許可された人物の意図的な内部犯行が圧倒的に多いという傾向にある。従って、もはやアクセス権を設定することによる情報漏洩抑止策だけでは充分な情報漏洩対策とは言えない。
【０００５】
一方、情報漏洩から守るべき情報として、大企業の顧客情報に代表されるような量的に膨大な情報のみではなく、情報量は少ないが質的に重要な情報も考慮に入れる必要がある。このような情報は、印刷物として外部に容易に持ち出すことが可能であり、印刷についても情報漏洩抑止を意識した対策が望まれている。
【０００６】
他方、プリンタ、プリントサーバ、クライアントコンピュータ等をネットワークを介して接続したネットワーク印刷システムにおいては、様々な情報漏洩抑止方法が提案されている。
【０００７】
例えば、次のような情報漏洩抑止方法が提案されている（例えば、特許文献１参照）。該方法は、プリントサーバにより印刷データを再印刷可能な状態で保管する。これと共に、ジョブ名、クライアント名、ユーザ名などの情報を取得しタイムスタンプを付加したり、更には印刷データからビットマップを生成したりすることで、印刷ログとして保管する方法である。
【０００８】
また、次のような情報漏洩抑止方法が提案されている（例えば、特許文献２参照）。該方法は、上記プリントサーバによる印刷ログの保管に加え、プリンタ側でも印刷ログを取得しておき、これをプリントサーバに格納する方法である。
【０００９】
また、同様に、次のような情報漏洩抑止方法が提案されている（例えば、特許文献３参照）。該方法は、プリントサーバはクライアントコンピュータから印刷データを受信すると同時に、ユーザを一意に特定できるユーザ情報も受信し、印刷データとユーザ情報を基に印刷ログを生成し、印刷データの検索、閲覧、再印刷を可能とする方法である。
【００１０】
また、次のような印刷に関するデータ監視方法も提案されている（例えば、特許文献４参照）。該方法は、パーソナルコンピュータ（ＰＣ）からＰＣ上のプリンタドライバを経由してプリンタに印刷データを送る際に、ＰＣのプリンタドライバの印刷データをモニタし複製禁止情報を監視する記載がある。この文献では、モニタしている印刷データ（例えばＰＤＬ）を解析し特定の文字列や画像が含まれているか判定を行う。そして、特定文字列や画像が含まれていると判定した場合には、プリンタドライバに印刷データの転送の停止を命令する方法である。
【特許文献１】特開２００２−１４９３７１号公報
【特許文献２】特開２００３−３３０６７７号公報
【特許文献３】特開２００４−１１８２４３号公報
【特許文献４】特開平２０００−２５３２４１号公報
【発明の開示】
【発明が解決しようとする課題】
【００１１】
しかしながら、上述した従来例（特許文献１〜３の例）の情報漏洩抑止方法では、システムの主眼は印刷ログを保管し、印刷実行後に印刷データの追跡が可能であるというものであった。即ち、印刷物に対しての複製や印刷データのＦＡＸ送信などに対して制限がなされていないため、更なる大量な情報の流出或いは二次流出につながる恐れがあった。
【００１２】
また、従来例の方法でも印刷データを監視し印刷を停止させる例（特許文献４の例）もあったが、プリンタドライバの印刷データを、プリンタドライバによる印刷データの生成・転送と並行してモニタすることにより複製禁止画像が存在するかどうか判定している。よって、判定のタイミングによっては転送禁止命令を出してもプリンタドライバがプリンタへ印刷データを転送完了してしまった後であるという事態も起き得るという問題があった。
【００１３】
本発明の目的は、情報の漏洩及び二次流出、更には情報の大量流出を防止可能とした印刷システム、情報処理装置、制御方法、及びプログラムを提供することにある。
【課題を解決するための手段】
【００１４】
上述の目的を達成するために、本発明の印刷システムは、印刷装置を利用可能とする印刷システムであって、前記印刷装置を利用して実行したジョブの内容に基づき追跡用情報を生成し、前記追跡用情報に前記印刷装置の機能を制限する機能制限情報を埋め込む情報処理手段と、前記情報処理手段により生成された前記追跡用情報を登録する登録手段と、前記印刷装置を利用する命令を受信した場合に前記登録手段から該当する追跡用情報を検索し、前記追跡用情報に埋め込まれた前記機能制限情報に応じて前記印刷装置の機能を制限する機能制限手段と、を備えることを特徴とする。
【００１５】
上述の目的を達成するために、本発明の情報処理装置は、印刷装置を利用して実行したジョブの内容に基づき追跡用情報を生成し、前記追跡用情報に前記印刷装置の機能を制限する機能制限情報を埋め込む情報処理手段と、前記印刷装置を利用する命令を受信した場合に、前記追跡用情報を登録する登録手段から該当する追跡用情報を検索し、前記追跡用情報に埋め込まれた前記機能制限情報に応じて前記印刷装置の機能を制限する機能制限手段と、を備えることを特徴とする。
【発明の効果】
【００１６】
本発明によれば、追跡用情報に埋め込まれた機能制限情報（タグ）に応じて印刷装置の機能を制限するため、印刷装置により生成した印刷物に対する加工及び転用を制限することが可能となる。これにより、情報の漏洩及び二次流出、更には情報の大量流出を防止することが可能となる。
【発明を実施するための最良の形態】
【００１７】
以下、本発明の実施の形態を図面を参照して説明する。
【００１８】
図１は、本実施の形態に係る印刷システムの構成を示すブロック図である。
【００１９】
図１において、印刷システムは、追跡情報管理サーバ１０００、プリンタ１５００、ホストコンピュータ３０００、管理者用クライアント４０００をネットワーク５０００を介して接続した構成を有すると共に、任意台数のプリンタ２０００を備えている。
【００２０】
印刷システムは、プリンタを用いた印刷等の通常の利用を可能とすると共に、チェイシング（プリンタで実行したジョブの追跡）及びプリンタが備える各種機能の制限を行うシステムである。即ち、プリンタで実行したジョブの内容を蓄積しジョブの追跡を可能とすることで、情報の漏洩及び二次流出を防止するものである。
【００２１】
ホストコンピュータ３０００は、ユーザのコンピュータから印刷要求を受け付け、印刷要求の内容に従った印刷データを生成する。また、ホストコンピュータ３０００は、印刷要求に合致したジョブ追跡用データの抽出・生成・検索を行い、検索結果に応じて、印刷データを作成する描画命令及びジョブ追跡用データに対してプリンタの各種機能を制限する禁止タグ（機能制限タグ）を付加する。禁止タグ（機能制限タグ）とは、付加的な情報であり、印刷データを作成する描画命令及びジョブ追跡用データに対してプリンタの各種機能を制限する為に付加される属性である。更に、ホストコンピュータ３０００は、ジョブ追跡用データを追跡情報管理サーバ１０００へ送信し、印刷データをプリンタ１５００へ送信する。ホストコンピュータ３０００は、後述の図２に示す構成を有する。
【００２２】
プリンタ１５００は、ホストコンピュータ３０００から受信した印刷データに従い印刷処理を実行する。プリンタ１５００は、後述の図２に示す構成を有する。
【００２３】
プリンタ２０００は、ネットワーク５０００に対する接続の有無は問わない機能制限の対象となるプリンタであり、印刷機能、複写機能、データ転送機能を有し、次のような処理を行う。プリンタ２０００は、プリンタ１５００により印刷された印刷物に対して複写や転送が指示された際に、機能実行と判断した場合には指示された機能を実行し、機能中止と判断した場合には機能の実行を中止する。プリンタ２０００は、後述の図３に示す構成を有する。尚、プリンタ２０００を別個に設置せずに、プリンタ２０００の機能をプリンタ１５００が兼用する構成としてもよい。
【００２４】
追跡情報管理サーバ（追跡情報格納サーバ）１０００は、ホストコンピュータ３０００から受信するジョブ追跡用データを、該追跡情報管理サーバ自身または他の情報機器内に構築された記憶領域にデータベースとして登録し保管する。ジョブ追跡用データの詳細は後述の図８に示すジョブ追跡機能の全体処理において説明する。
【００２５】
管理者用クライアント４０００は、システム管理者が必要に応じて、追跡情報管理サーバ１０００または他の情報機器の上記データベースに登録されたジョブ追跡用データ（追跡用情報）を検索、閲覧するために使用する。尚、管理者用クライアント４０００を上記追跡情報管理サーバ１０００とは別個に設置せずに、追跡情報管理サーバ１０００と管理者用クライアント４０００を同一の情報機器で実現する構成としてもよい。
【００２６】
図２は、ホストコンピュータ３０００及びプリンタ１５００の構成を示すブロック図である。
【００２７】
図２において、ホストコンピュータ３０００は、ＣＰＵ１、ＲＡＭ２、ＲＯＭ３、システムバス４、キーボードコントローラ（ＫＢＣ）５、ＣＲＴコントローラ（ＣＲＴＣ）６を備えている。更に、ホストコンピュータ３０００は、ディスクコントローラ（ＤＫＣ）７、プリンタコントローラ（ＰＲＴＣ）８、キーボード（ＫＢ）９、ＣＲＴディスプレイ（ＣＲＴ）１０、外部メモリ１１を備えている。
【００２８】
ＣＰＵ１は、ＲＯＭ３のプログラム用ＲＯＭ或いは外部メモリ１１に記憶された文書処理プログラム等に基づいて、後述の処理を含む、図形、イメージ、文字、表（表計算等を含む）等が混在した文書処理及びそれに基づくプリンタの印刷処理の実行を制御する。ＣＰＵ１は、システムバス４に接続される各デバイスの制御を総括する。また、ＣＰＵ１は、ＣＲＴ１０上の不図示のマウスカーソル等で指示されたコマンドに基づいて、予め登録された種々のウィンドウを開き、種々のデータ処理を実行する。ユーザは印刷を実行する際、印刷の設定に関するウィンドウを開き、プリンタの設定や、印刷モードの選択を含むプリンタドライバに対する印刷処理方法の設定を行うことができる。
【００２９】
ＲＡＭ２は、ＣＰＵ１の主メモリ、ワークエリア等として機能する。ＲＯＭ３のプログラム用ＲＯＭ或いは外部メモリ１１には、ＣＰＵ１の制御プログラムであるオペレーティングシステムプログラム（以下ＯＳ）等が記憶されている。ＲＯＭ３のフォント用ＲＯＭ或いは外部メモリ１１には、上記文書処理の際に使用するフォントデータ等が記憶されている。ＲＯＭ３のデータ用ＲＯＭ或いは外部メモリ１１には、上記文書処理等を行う際に使用する各種データが記憶されている。
【００３０】
キーボードコントローラ５は、キーボード９或いは不図示のポインティングデバイスからのキー入力を制御する。ＣＲＴコントローラ６は、ＣＲＴディスプレイ１０に対する表示を制御する。ディスクコントローラ７は、外部メモリ１１に対するアクセスを制御する。プリンタコントローラ８は、双方向性インターフェース２２を介してプリンタ１５００に接続され、プリンタ１５００との間の通信制御処理を実行する。
【００３１】
外部メモリ１１は、ハードディスク（ＨＤ）、フロッピー(登録商標)ディスク（ＦＤ）等から構成される。外部メモリ１１は、ブートプログラム、各種のアプリケーションプログラム、フォントデータ、ユーザファイル、編集ファイル、プリンタ制御コマンド生成プログラム（以下プリンタドライバ）等を記憶する。
【００３２】
プリンタ１５００は、ＣＰＵ１２、ＲＡＭ１３、ＲＯＭ１４、システムバス１５、入力部１６、印刷部インターフェース（Ｉ／Ｆ）１７、メモリコントローラ（ＭＣ）１８、印刷部１９、操作部２０、外部メモリ２１を備えている。
【００３３】
ＣＰＵ１２は、ＲＯＭ１４のプログラム用ＲＯＭ或いは外部メモリ２１に記憶された制御プログラム等に基づいて、システムバス１５に接続される印刷部（プリンタエンジン）１９に印刷出力情報としての画像信号を出力する。また、ＣＰＵ１２は、入力部１６を介してホストコンピュータ３０００との間の通信処理を行う。これにより、プリンタ１５００内の情報等をコンピュータ３０００に通知することができる。
【００３４】
ＲＡＭ１３は、ＣＰＵ１２の主メモリ、ワークエリア等として機能する。また、不図示の増設ポートに接続されるオプションＲＡＭによりメモリ容量を拡張できるように構成されている。尚、ＲＡＭ１３は、出力情報展開領域、環境データ格納領域、ＮＶＲＡＭ等に用いられる。ＲＯＭ１４のプログラム用ＲＯＭには、ＣＰＵ１２の制御プログラム等が記憶されている。ＲＯＭ１４のフォント用ＲＯＭには、上記印刷出力情報を生成する際に使用するフォントデータ等が記憶されている。ＲＯＭ１４のデータ用ＲＯＭには、プリンタ１５００に外部メモリ２１が装備されていない場合は、ホストコンピュータ上で利用される情報等が記憶されている。
【００３５】
入力部１６は、双方向性Ｉ／Ｆ２２を介してホストコンピュータ３０００に接続される。印刷部Ｉ／Ｆ１７は、システムバス１５と印刷部１９の間のインターフェースを司る。メモリコントローラ１８は、外部メモリ２１に対するアクセスを制御する。印刷部１９は、本実施形態では電子写真方式により印刷動作を行う。従って、印刷データはトナーのドットによって最終的に紙などの媒体上に記録される。尚、印刷方式は、電子写真方式に限定されず、例えばドットを形成して印刷を行うインクジェット方式などいずれの方式でもよい。操作部２０は、印刷に関する各種設定に用いる。
【００３６】
外部メモリ２１は、ハードディスク（ＨＤ）、ＩＣカード等から構成され、メモリコントローラ２０によりアクセスを制御される。外部メモリ２１は、プリンタ１５００にオプションとして接続され、フォントデータ、エミュレーションプログラム、フォームデータ等を記憶する。尚、プリンタ１５００に不図示のＮＶＲＡＭを装備し、操作部２０からのプリンタモード設定情報を記憶するようにしてもよい。
【００３７】
図３は、機能制限の対象となるプリンタ２０００の構成を示すブロック図である。
【００３８】
図３において、プリンタ２０００は、ＣＰＵ３２、ＲＡＭ３３、ＲＯＭ３４、システムバス３５、入力部３６、機能部Ｉ／Ｆ３７、メモリコントローラ３８、機能部３９、操作部４０、外部メモリ４１を備えている。
【００３９】
プリンタ２０００におけるプリンタ１５００との相違点を説明する。ＣＰＵ３２は、ＲＯＭ３４のプログラム用ＲＯＭ或いは外部メモリ４１に記憶された制御プログラム等に基づいて、システムバス３５に接続される機能部３９に出力情報としての画像信号を出力する。機能部Ｉ／Ｆ３７は、システムバス３５と機能部３９の間のインターフェースを司るものであり、印刷部Ｉ／Ｆ、複写部Ｉ／Ｆ、送信部Ｉ／Ｆから構成される。機能部３９は、印刷部、複写部、送信部から構成される。
【００４０】
機能部３９の印刷部、複写部、送信部は、それぞれ、機能部Ｉ／Ｆ３７の印刷部Ｉ／Ｆ、複写部Ｉ／Ｆ、送信部Ｉ／Ｆを介して出力される情報に基づき、プリンタ２０００の各種機能（印刷、複写、データ転送（ＦＡＸ送信））を実行する。ＲＯＭ３４のデータ用ＲＯＭには、後述する機能制限に用いられる各種機能の禁止タグ（機能制限タグ）が格納されている。
【００４１】
つまり、禁止タグ（機能制限タグ）は、プリンタ２０００の各種機能（印刷、複写、データ転送（ＦＡＸ送信））の使用禁止を印刷システム内で示す付加情報である。具体的には、印刷禁止タグ、複写禁止タグ、データ転送禁止タグ、ｅ−ｍａｉｌ送信禁止タグ、ＦＡＸ送信禁止タグなどである。尚、禁止タグは、ＨＤ等の外部メモリ４１に格納されていてもよい。また、プリンタ２０００のその他の機能を禁止するタグが存在していても良い。ＣＰＵ３２は、ＲＯＭ３４のプログラム用ＲＯＭによって機能制限がなされているか否かの判断を行う。
【００４２】
図４は、ホストコンピュータ３０００における印刷処理のための構成を示すブロック図である。
【００４３】
図４において、アプリケーションプログラム（以下アプリケーション）２０１、グラフィックエンジン２０２、プリンタドライバ２０３、及びシステムスプーラ２０４は、外部メモリ１１に保存されたファイルとして存在する。これらは、ＯＳやそのモジュールを利用するモジュールによってＲＡＭ２にロードされて実行されるプログラムモジュールである。
【００４４】
アプリケーション２０１及びプリンタドライバ２０３は、外部メモリ１１のＦＤや不図示のＣＤ−ＲＯＭ、或いは不図示のネットワークを経由して外部メモリ１１のＨＤに追加することが可能となっている。外部メモリ１１に保存されているアプリケーション２０１は、上記のようにＲＡＭ２にロードされて実行される。アプリケーション２０１からプリンタ１５００に対して印刷を実行させる際には、同様にＲＡＭ２にロードされ実行可能となっているグラフィックエンジン２０２を利用して出力（描画）を行う。
【００４５】
グラフィックエンジン２０２は、プリンタ毎に用意されたプリンタドライバ２０３を外部メモリ１１からＲＡＭ２にロードし、アプリケーション２０１の出力をプリンタドライバ２０３に設定する。また、グラフィックエンジン２０２は、アプリケーション２０１から受け取るＧＤＩ（Graphic Device Interface）関数をＤＤＩ（Device Driver Interface）関数に変換して、プリンタドライバ２０３に出力する。
【００４６】
プリンタドライバ２０３は、グラフィックエンジン２０２から受け取ったＤＤＩ関数に基づいて、プリンタが認識可能なプリンタ制御コマンド、例えばＰＤＬ（Page Description Language）に変換する。変換されたプリンタ制御コマンドは、ＯＳによってＲＡＭ２にロードされたシステムスプーラ２０４を経て双方向Ｉ／Ｆ２２経由でプリンタ１５００へ印刷データとして出力される仕組みとなっている。
【００４７】
また、本実施の形態では、プリンタドライバ２０３内にジョブ追跡機能部４００を有する。ジョブ追跡機能部４００は、プリンタドライバ２０３のビルドインモジュールであってもよいし、個別のインストーレーションによって追加されるライブラリモジュールの形式であっても構わない。プリンタドライバ２０３は、ジョブ追跡機能部４００の実行により、ジョブ追跡用データの抽出・生成を行い、ジョブ追跡管理部５００へ送る。
【００４８】
ジョブ追跡管理部５００は、プリンタドライバ２０３からジョブ追跡用データを受け取り、ジョブ追跡用データを追跡情報管理サーバ１０００へ転送する。尚、ジョブ追跡管理部５００は、受け取ったジョブ追跡用データを必要に応じて加工したり、選別したりしてもよい。また、ジョブ追跡管理部５００は、ジョブ追跡用データを受け取ると同時に追跡情報管理サーバ１０００へ送信したりしてもよい。また、ジョブ追跡管理部５００は、ジョブ追跡用データを一時的にＨＤ等の記憶領域内に貯め置きし、別途指定される追跡情報管理サーバ１０００への送信スケジュールに従い追跡情報管理サーバ１０００へ送信したりしてもよい。
【００４９】
図５は、ホストコンピュータ３０００のジョブ追跡機能部４００の構成を示すブロック図である。
【００５０】
図５において、ジョブ追跡機能部４００は、ジョブ追跡機能ＵＩ（User Interface）制御部４０１、ジョブ追跡機能処理部４０２を備えている。更に、ジョブ追跡機能処理部４０２は、ジョブ追跡機能データ作成部４０２Ａ、ジョブ追跡機能データ検索編集部４０２Ｂ、描画命令作成部４０２Ｃ、ジョブ追跡機能データ転送部４０２Ｄを備えている。
【００５１】
ジョブ追跡機能ＵＩ制御部４０１は、後述の図１１に示すユーザインターフェースの各種画面の表示制御を司る。ジョブ追跡機能データ作成部４０２Ａは、ジョブ追跡用データの収集及び作成を行う。ジョブ追跡機能データ検索編集部４０２Ｂは、後述の検索条件設定ファイルに応じてジョブ追跡用データの検索を行い、検索結果に応じてジョブ追跡用データに編集を行う。描画命令作成部４０２Ｃは、ジョブ追跡機能データ作成部４０２Ａが受信した描画命令に禁止タグ（機能制限タグ）に対応する描画命令の追加を行う。ジョブ追跡機能データ転送部４０２Ｄは、ジョブ追跡用データの転送を行う。
【００５２】
次に、本実施の形態の印刷システムの様々な運用形態について図６及び図７に基づき説明する。
【００５３】
図６（ａ）は、ジョブ追跡管理部をホストコンピュータに配設したシステム構成を示す図である。図６（ｂ）は、ジョブ追跡管理部を追跡管理コンピュータに配設したシステム構成を示す図である。図６（ｃ）は、プリントサーバをホストコンピュータとプリンタの間に接続したシステム構成を示す図である。図７（ａ）は、図６（ｂ）と図６（ｃ）の構成を併用したシステム構成を示す図である。図７（ｂ）は、プリントサーバ兼追跡管理コンピュータを設置したシステム構成を示す図である。
【００５４】
図６及び図７において、三角矢印付きの実線は印刷データを示し、矢印付きの実線はジョブ追跡用データを示し、四角矢印付きの実線は複写用データを示し、矢印付きの破線はプリンタドライバの設定情報を示す。
【００５５】
図６（ａ）は、印刷システムの最もシンプルな運用例を示したものである。ホストコンピュータ３０００内にジョブ追跡管理部５００を配設している。印刷データは、ホストコンピュータ３０００のプリンタドライバ２０３からプリンタ１５００へ直接転送される。ジョブ追跡用データは、ジョブ追跡機能部４００からホストコンピュータ３０００内のジョブ追跡管理部５００を介して追跡情報管理サーバ１０００へ送信される。更に、プリンタ１５００で印刷された印刷物に対してプリンタ２０００を用いた複写／転送など、プリンタ２０００が備える各種機能を実施すると予め設定された条件に従い機能を制限し、機能の中止及び実行を行う。
【００５６】
本構成は、本発明を実施するための最小構成であり、以降の説明で特に断りが無い限り本構成での実施を説明するものとする。
【００５７】
図６（ｂ）は、図６（ａ）に対し、ジョブ追跡管理部５００をホストコンピュータ３０００とは別の追跡管理コンピュータ６０００に配設したものである。印刷データは、図６（ａ）と同じく、ホストコンピュータ３０００のプリンタドライバ２０３から直接プリンタ１５００へ転送される。ジョブ追跡用データは、ジョブ追跡機能部４００から追跡管理コンピュータ６０００内のジョブ追跡管理部５００を介して追跡情報管理サーバ１０００へ送信される。
【００５８】
本構成を採ることで、ジョブ追跡用データを登録及び保管する追跡情報管理サーバ１０００を、例えばネットワーク負荷が軽くなる日または時間帯にスケジューリングすることが可能になると共に、追跡情報管理サーバ１０００への負荷を制御することが可能になる。プリンタ２０００における機能制限に関しては、図６（ａ）に対し特に差異は存在しない。
【００５９】
図６（ｃ）は、図６（ａ）に対し、プリンタドライバ２０３を有するプリントサーバ７０００をホストコンピュータ３０００とプリンタ１５００の間に接続したものである。印刷データは、ホストコンピュータ３０００のプリンタドライバ２０３からプリントサーバ７０００の該当するプリンタキュー（プリントスプーラ）を通ってプリンタ１５００へ転送される。ジョブ追跡用データは、図６（ａ）と同じく、ジョブ追跡機能部４００からホストコンピュータ３０００内のジョブ追跡管理部５００を介して追跡情報管理サーバ１０００へ送信される。
【００６０】
本構成を採ることで、プリントサーバ７０００を用いる運用形態にも適応することができる。また、プリントサーバ７０００内にプリンタドライバ２０３を配設することで、ホストコンピュータ３０００に対するプリンタドライバのモジュールの配布とモジュールの同期、設定情報の共有化などが可能となる。更には、ジョブ追跡機能に関わる各種設定をプリントサーバ７０００上で一括管理することも可能となり、ジョブ追跡機能の各種設定を実行する権限の無いユーザが設定変更を行えなくなるような機構も併せ持つこととなる。プリンタ２０００における機能制限に関しては、図６（ａ）に対し特に差異は存在しない。
【００６１】
図７（ａ）は、図６（ｂ）と図６（ｃ）の構成を併用したものである。即ち、プリンタドライバ２０３を有するプリントサーバ７０００をホストコンピュータ３０００とプリンタ１５００の間に接続し、ジョブ追跡管理部５００をホストコンピュータ３０００とは別の追跡管理コンピュータ６０００に配設したものである。印刷データは、図６（ｃ）と同じく、ホストコンピュータ３０００のプリンタドライバ２０３からプリントサーバ７０００の該当するプリンタキュー（プリントスプーラ）を通ってプリンタ１５００へ転送される。ジョブ追跡用データは、図６（ｂ）と同じく、ジョブ追跡機能部４００から追跡管理コンピュータ６０００内のジョブ追跡管理部５００を介して追跡情報管理サーバ１０００へ送信される。
【００６２】
本構成を採ることで、図６（ｂ）及び図６（ｃ）の利点を併せ持つことが可能となる。プリンタ２０００における機能制限に関しては、図６（ａ）に対し特に差異は存在しない。
【００６３】
図７（ｂ）は、図７（ａ）の追跡管理コンピュータ６０００とプリントサーバ７０００とを同一のコンピュータ上で実現するように、プリントサーバ兼追跡管理コンピュータ８０００を設けたものである。印刷データは、ホストコンピュータ３０００のプリンタドライバ２０３からプリントサーバ兼追跡管理コンピュータ８０００の該当するプリンタキュー（プリントスプーラ）を通ってプリンタ１５００へ転送される。ジョブ追跡用データは、ジョブ追跡機能部４００からプリントサーバ兼追跡管理コンピュータ８０００内のジョブ追跡管理部５００を介して追跡情報管理サーバ１０００へ送信される。
【００６４】
本構成を採ることで、図７（ａ）では追跡管理コンピュータ６０００、プリントサーバ７０００の２台のコンピュータが必要であったが、これをプリントサーバ兼追跡管理コンピュータ８０００の１台に集約することができる。これにより、コンピュータの設置スペースやコストの削減を図ることが可能となる。プリンタ２０００における機能制限に関しては、図６（ａ）に対し特に差異は存在しない。
【００６５】
次に、本実施の形態の印刷システムの各種処理について図８乃至図１１に基づき説明する。
【００６６】
図８は、ジョブ追跡機能の全体処理を示すフローチャートである。
【００６７】
図８において、ジョブ追跡機能、機能制限の処理の説明を以下に行う。印刷ジョブが開始された後、ステップＳ７０１にて、ホストコンピュータ３０００のプリンタドライバ２０３は、ＧＤＩから描画命令（ＤＤＩコマンド）を受信する。更に、ステップＳ７０１では、描画命令を蓄積することも可能である。次に、ステップＳ７０２にて、プリンタドライバ２０３とジョブ追跡機能部４００とは、受信した描画命令に応じたジョブ追跡用データ（追跡用情報）の生成或いは収集を行う。
【００６８】
次に、ステップＳ７０３にて、ジョブ追跡機能部４００は、予め設定された検索条件に従い、追跡情報管理サーバ１０００のデータベースからジョブ追跡用データの検索を行い、検索結果を作成する。次に、ステップＳ７０４にて、ジョブ追跡機能部４００は、検索結果に応じてプリンタの各種機能（複写、転送等）の禁止条件がジョブ追跡用データに含まれているかどうかを判断する。禁止条件がジョブ追跡用データに含まれていない場合には、後述のステップＳ７０６へ移行する。
【００６９】
禁止条件がジョブ追跡用データに含まれている場合には、ステップＳ７０５にて、ジョブ追跡機能部４００は、ジョブ追跡用データ及び描画命令に各種の禁止タグ（機能制限タグ）を追加する（埋め込む）。次に、ステップ７０６にて、ジョブ追跡機能部４００は、ジョブ追跡用データをジョブ追跡管理部５００を介して追跡情報管理サーバ１０００へ転送する。
【００７０】
次に、ステップＳ７０７にて、プリンタドライバ２０３は、印刷データを生成し、印刷データをプリンタへ転送する。次に、ステップＳ７０８にて、プリンタドライバ２０３は、プリンタにより印刷を実行し、ステップＳ７０９にて、印刷ジョブが終了したかどうかを判断する。印刷ジョブが終了していない場合は、ステップＳ７０１へ戻り、印刷ジョブが終了した場合は、本処理を終了する。
【００７１】
ここで、ジョブ追跡用データについて詳細に説明する。例えば、受信した描画命令が印刷開始命令の場合は、印刷ジョブに関する属性情報、印刷が行われている環境に関する環境情報等をジョブ追跡用データとする。また、受信した描画命令がページ開始命令の場合は、そのページに関する属性情報等をジョブ追跡用データとする。
【００７２】
また、ジョブ追跡機能部４００に対してテキスト情報の抽出やキーワード検索が指示されている場合は、テキスト描画コマンドから文字列情報等を抽出しジョブ追跡用データとする。また、ジョブ追跡機能部４００に対してイメージの抽出が指示されている場合は、各描画命令を確保してある記憶領域等にビットマップイメージとして描く。
【００７３】
受信した描画命令及びジョブ追跡機能部４００に指示された各種設定に依存した処理を実行することで、ジョブ追跡機能部４００によりジョブ追跡用データの収集・生成を行う。更に、ジョブ追跡機能部４００によりジョブ追跡用データの検索後、検索結果に応じて各種の禁止タグ（機能制限タグ）をジョブ追跡用データに追加し、ジョブ追跡用データをジョブ追跡管理部５００へ転送する。
【００７４】
上記のように、ステップＳ７０２、ステップＳ７０６にて、それぞれジョブ追跡用データの収集・生成、転送を行う。その後、ステップＳ７０７にて、ステップＳ７０１で受信した描画命令及びステップＳ７０５で禁止タグが追加された描画命令に合致する印刷データ（プリンタ１５００が認識可能な制御コマンド）の生成を行う。そして、印刷データをシステムスプーラ２０４へ書き出し、プリンタ１５００へ転送する。
【００７５】
即ち、描画命令の受信(ステップＳ７０１)、ジョブ追跡用データの生成(ステップＳ７０２)、ジョブ追跡用データの検索(ステップＳ７０３)、禁止タグの追加(ステップＳ７０４、Ｓ７０５)、ジョブ追跡用データの転送(ステップＳ７０６)、印刷データの生成・転送(ステップＳ７０７)を行う。このようにして、ステップＳ７０１〜ステップＳ７０７の各処理を印刷ジョブ終了命令を受信するまで繰り返し実行する(ステップＳ７０８、ステップＳ７０９)。
【００７６】
図９は、ジョブ追跡用データの作成、検索、及び禁止タグに関する処理を示す図である。
【００７７】
図９において、ステップＳ８０１にて、ジョブ追跡機能部４００のジョブ追跡機能データ作成部４０２Ａは、描画命令を受信する。この描画命令は、条件によって描画対象のページ毎などにホストコンピュータ３０００の記憶領域に蓄積されていてもよい。次に、ステップＳ８０２にて、ジョブ追跡機能データ作成部４０２Ａは、ジョブ追跡用データの収集及び作成を行う。次に、ステップＳ８０３にて、ジョブ追跡機能データ検索編集部４０２Ｂは、予め設定された各種機能を制限するための検索条件設定ファイル（検索条件設定手段）を参照する。
【００７８】
ここで、検索条件設定ファイルには、印刷システムのプリンタで利用可能な機能（複写、転送、等）に対して設定された機能制限（複写禁止条件、データ転送禁止条件、等）が記憶されている。検索条件設定ファイルの構成例の１つとしては、複写禁止条件としてキーワードが設定され、更に検索対象に含まれるイメージの数の上限や画像が指定されている場合を挙げることができる。尚、本実施の形態では、検索条件設定ファイルと各種機能制限タグリスト（後述）はホストコンピュータ３０００に装備されたＨＤ等の外部メモリ１１に格納されている。
【００７９】
次に、ステップＳ８０４にて、ジョブ追跡機能データ検索編集部４０２Ｂは、参照した検索条件設定ファイルに応じてジョブ追跡用データの検索を行い、検索結果に応じてジョブ追跡用データに編集を行うことも可能である。
【００８０】
例えば以下のような検索が可能である。キーワードが設定されていた場合には、テキスト抽出データから対象のキーワードが存在するかどうかを検索する。また、検索対象に含まれるイメージの数の上限が指定されていた場合には、イメージ抽出データから含まれるイメージ数の検索を行う。また、画像が指定されていた場合には、類似画像の検索を行う。検索内容に関しては、検索条件に従い多種多様な検索を適用することも可能である。更に、検索に応じて検索結果を作成する。検索結果には、各種機能を制限するかしないかの内容が含まれている。
【００８１】
次に、ステップＳ８０５にて、描画命令作成部４０２Ｃは、ジョブ追跡機能データ検索編集部４０２Ｂから検索結果を受信し、ステップＳ８０６にて、検索結果に応じて各種機能制限タグリストから必要な機能制限タグ（禁止タグ）を参照する。次に、ステップＳ８０７にて、描画命令作成部４０２Ｃは、ステップＳ８０１でジョブ追跡機能データ作成部４０２Ａが受信した描画命令に上記機能制限タグに対応する描画命令の追加を行う。そして、ジョブ追跡機能データ転送部４０２Ｄは、作成されたジョブ追跡用データを追跡情報管理サーバ１０００に転送し、描画命令から印刷データを作成してプリンタ１５００に転送する。これをジョブが終了するまで繰り返す。
【００８２】
各種機能制限タグリストは、プリンタ２０００の各種機能（印刷、複写、データ転送（ＦＡＸ送信））の使用禁止を印刷システム内で示す付加情報のリストである。具体的には印刷禁止タグ、複写禁止タグ、データ転送禁止タグ、ｅ−ｍａｉｌ送信禁止タグ、ＦＡＸ送信禁止タグなどがリスト化されている。
【００８３】
また、複数の機能を同時に禁止（機能制限）する場合には、各単機能の禁止タグを同時に選択する方法の他に、複数機能の機能制限の組み合わせを同時に指定する禁止タグ（機能制限タグ）が存在していても良い。例えば、複写禁止タグとｅ−ｍａｉｌ送信禁止タグを同時に選択する方法と、複写禁止かつｅ−ｍａｉｌ送信禁止タグを選択する方法である。このようにステップＳ８０６では、上述した検索結果に応じて各種機能制限タグリストから必要な機能制限タグ（禁止タグ）を参照し選択する。
【００８４】
図１０は、機能制限処理を示すフローチャートである。
【００８５】
図１０において、機能制限の対象となるプリンタ２０００で複写ジョブが開始された後、ステップＳ９０１にて、プリンタ２０００のＣＰＵ３２は、機能部３９の複写部により原稿の読み取りを行う。次に、ステップＳ９０２にて、ＣＰＵ３２は、複写部により原稿から読み取った複写対象データに複写を禁止するための複写禁止タグが存在するかどうかを判断する。
【００８６】
複写対象データに複写禁止タグが存在した場合には、ステップＳ９０３にて、ＣＰＵ３２は、複写部による複写を中止し本処理を終了する。複写対象データに複写禁止タグが存在しなかった場合には、ステップＳ９０４にて、ＣＰＵ３２は、複写部により通常通り複写を実行し本処理を終了する。尚、機能制限処理は、複写だけに限定されるものではなく、複写以外の各種機能（転送、スキャン等）にも同様に適用できることは言うまでもない。
【００８７】
図１１（ａ）は、ジョブ追跡に関するユーザインターフェースの初期画面の一例を示す図、図１１（ｂ）は、ジョブ追跡機能の詳細設定に関するユーザインターフェースの初期画面の一例を示す図である。
【００８８】
図１１（ａ）において、本画面は、プリンタドライバ２０３内のジョブ追跡機能ＵＩ制御部４０１により表示制御される、チェイシングに関するユーザインターフェースの初期画面（ジョブ追跡に関する設定画面）の一例である。この例では、ダイアログボックス（以下ダイアログ）５１０内のプロパティシート「ジョブ追跡機能」においてチェイシングに関する設定を行うことができるようになっている。ダイアログ５１０には、「ジョブ追跡を行う」チェックボックス５１１、設定ボタン５１２等が表示されている。
【００８９】
尚、図１１（ａ）及び図１１（ｂ）で示すジョブ追跡に関する設定画面をプリンタドライバ２０３とは別の専用ツール上に表示し、設定情報をプリンタドライバ２０３内のジョブ追跡機能ＵＩ制御部４０１に伝えることで実現しても構わない。また、ダイアログ５１０は、印刷システムの運用目的からして、該当プリンタに対して設定変更を行うことが許可されたユーザのみに表示するのが望ましい。即ち、ダイアログ５１０を開くための条件としてパスワード等による認証を設けたり、実行ユーザ権限を限定したりすることが考えられる。
【００９０】
「ジョブ追跡を行う」チェックボックス５１１は、ジョブ追跡機能の有効／無効を指示するチェックボックスである。ユーザはチェックボックス５１１を操作することで、ジョブ追跡機能の有効／無効（ＯＮ／ＯＦＦ）の制御が可能になる。
【００９１】
図１１（ｂ）において、ジョブ追跡機能の詳細設定を行うためのダイアログ５２０は、図１１（ａ）の設定ボタン５１２を選択することで開く。ダイアログ５２０では、主にジョブ追跡用データの送信先の情報及びプリンタドライバ２０３内のジョブ追跡機能処理部４０２で生成するジョブ追跡用データの内容を決定することになる。
【００９２】
管理者用クライアント名５２１には、ジョブ追跡管理部５００が動作しているコンピュータの識別名称を入力する。識別名５２２には、ジョブ追跡管理部５００内の他の接続と区別するためのキー（ＩＤ）を入力する。タイムアウト値５２３には、ジョブ追跡機能部４００とジョブ追跡管理部５００との通信において使用するタイムアウト時間を予め設定しておく。以上の３つがジョブ追跡用データを送信するための情報である。
【００９３】
尚、本ユーザインターフェースを表示しているコンピュータでジョブ追跡管理部５００が動作しているのであれば、管理者用クライアント名５２１には、コンピュータ自身の識別名称を設定することになる。また、他のコンピュータでジョブ追跡管理部５００が動作しているのであれば、管理者用クライアント名５２１には、そのジョブ追跡管理部５００が動作している他のコンピュータの識別名称を入力することになる。
【００９４】
「テキスト抽出をする」チェックボックス５２４は、ジョブ追跡用データにテキスト文字列情報を含めるかどうかを指示するチェックボックスである。このチェックボックス５２４をＯＮにすることで、プリンタドライバ２０３はテキスト文字列情報をジョブ追跡用データとして抽出する。テキスト文字列情報をジョブ追跡用データに付加しておくことで、追跡情報管理サーバ１０００に格納された後のテキスト検索を容易に実現することが可能となる。
【００９５】
「イメージを抽出する」チェックボックス５２５は、ジョブ追跡用データにページビットマップ情報を含めるかどうかを指示するチェックボックスである。このチェックボックス５２５をＯＮにすることで、プリンタドライバ２０３は印刷データとは別にページビットマップを生成する。ページビットマップをジョブ追跡用データ付加しておくことで、追跡情報管理サーバ１０００に格納された後の画像閲覧が可能となる。
【００９６】
ビット数カラー５２６、ビット数白黒５２７、解像度５２８、圧縮方法５２９、エンコード方法５３０の各設定領域からは、それぞれ、生成するページイメージの属性や形式を詳細に指定できるようになっている。
【００９７】
以上説明したように、本実施の形態によれば、プリンタドライバ２０３のジョブ追跡機能部４００はプリンタで実行したジョブの内容に基づき追跡用データを生成し、追跡用データにプリンタの機能を制限する機能制限タグを埋め込む。ジョブ追跡機能部４００は描画命令を受信した場合に追跡情報管理サーバ１０００のデータベースから該当する追跡用データを検索し、追跡用データに埋め込まれた機能制限タグに応じてプリンタの機能を制限する。これにより、プリンタにより生成した印刷物に対する加工及び転用を制限することが可能となり、情報の漏洩及び二次流出、更には情報の大量流出を防止することが可能となる。
【００９８】
［他の実施の形態］
上記実施の形態では、図１に示す構成を有する印刷システムを例に挙げたが、印刷システムは特定の構成に限定されるものではなく、本発明の主旨を逸脱しない範囲で任意の構成とすることが可能である。
【００９９】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０１００】
この場合、記憶媒体から読み出されたプログラムコード自体が前述した各実施の形態の機能を実現することになり、そのプログラムコード及び該プログラムコードを記憶した記憶媒体は本発明を構成することになる。
【０１０１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１０２】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１０３】
更に、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【０１０４】
【図１】本発明の実施の形態に係る印刷システムの構成を示すブロック図である。
【図２】ホストコンピュータ及びプリンタの構成を示すブロック図である。
【図３】機能制限の対象となるプリンタの構成を示すブロック図である。
【図４】ホストコンピュータにおける印刷処理のための構成を示すブロック図である。
【図５】ホストコンピュータのジョブ追跡機能部の構成を示すブロック図である。
【図６】（ａ）は、ジョブ追跡管理部をホストコンピュータに配設したシステム構成を示す図、（ｂ）は、ジョブ追跡管理部を追跡管理コンピュータに配設したシステム構成を示す図、（ｃ）は、プリントサーバをホストコンピュータとプリンタの間に接続したシステム構成を示す図である。
【図７】（ａ）は、図６（ｂ）と図６（ｃ）の構成を併用したシステム構成を示す図、（ｂ）は、プリントサーバ兼追跡管理コンピュータを設置したシステム構成を示す図である。
【図８】ジョブ追跡機能の全体処理を示すフローチャートである。
【図９】ジョブ追跡用データの作成、検索、及び禁止タグに関する処理を示す図である。
【図１０】機能制限処理を示すフローチャートである。
【図１１】（ａ）は、ジョブ追跡に関するユーザインターフェースの初期画面の一例を示す図、（ｂ）は、ジョブ追跡機能の詳細設定に関するユーザインターフェースの初期画面の一例を示す図である。
【符号の説明】
【０１０５】
４００  ジョブ追跡機能部（情報処理手段、機能制限手段）
５００  ジョブ追跡管理部
１０００  追跡情報管理サーバ（登録手段）
１５００、２０００  プリンタ（印刷装置）
３０００  ホストコンピュータ（情報処理手段、機能制限手段、情報処理装置）
４０００  管理者用クライアント
５０００  ネットワーク
【図１】
2007148933.tif 000003
【図２】
2007148933.tif 000004
【図３】
2007148933.tif 000005
【図４】
2007148933.tif 000006
【図５】
2007148933.tif 000007
【図６】
2007148933.tif 000008
【図７】
2007148933.tif 000009
【図８】
2007148933.tif 000010
【図９】
2007148933.tif 000011
【図１０】
2007148933.tif 000012
【図１１】
2007148933.tif 000013